(57)【要約】      （修正有）【課題】ローラーへのイオン導入機能だけでなく、多様なマッサージ機能を備えた、複合機能を有する皮膚美容機器を提供する。【解決手段】複合機能を有する皮膚美容機器は、使用者が手で把持しうるグリップ部Ｇと、マッサージ機能を有するヘッド部Ｈとを含んでなる皮膚美容機器であって、ヘッド部は、回転可能な中空ローラー型の第１ヘッド１５、回転可能な中空ローラー型の第２ヘッド１６、および前記第１ヘッドと前記第２ヘッドとの間に位置し、温熱機能を有する第３ヘッド１７を含む。【選択図】図５ａ
0003183321.tif 000002
【実用新案登録請求の範囲】
【請求項１】
使用者が手で把持しうるグリップ部と、マッサージ機能を有するヘッド部とを含んでなる皮膚美容機器であって、
前記ヘッド部は、
回転可能な中空ローラー型の第１ヘッド、
回転可能な中空ローラー型の第２ヘッド、および
前記第１ヘッドと前記第２ヘッドとの間に位置し、温熱機能を有する第３ヘッドを含むことを特徴とする、複合機能を有する皮膚美容機器。
【請求項２】
前記ヘッド部は、
前記グリップ部の長手方向の一端に連結されたヘッド連結部と、
前記第１ヘッドおよび前記第２ヘッドの回転軸方向に設けられ、前記ヘッド連結部に一端がそれぞれ連結された第１ヘッド用結合棒および第２ヘッド用結合棒をさらに含むことを特徴とする、請求項１に記載の複合機能を有する皮膚美容機器。
【請求項３】
前記第１ヘッドおよび前記第２ヘッドはそれぞれ、
前記第１ヘッド用結合棒の他端および前記第２ヘッド用結合棒の他端にそれぞれ連結された第１固定部材および第２固定部材によって、前記第１ヘッド用結合棒および前記第２ヘッド用結合棒に固定されることを特徴とする、請求項２に記載の複合機能を有する皮膚美容機器。
【請求項４】
前記第１ヘッドと前記第２ヘッドの回転方向は前記グリップ部の長手方向と直角をなすことを特徴とする、請求項１に記載の複合機能を有する皮膚美容機器。
【請求項５】
前記第１ヘッドと前記第２ヘッドはイオン導入機能を備えることを特徴とする、請求項１に記載の複合機能を有する皮膚美容機器。
【請求項６】
前記グリップ部は、
前記イオン導入の際に基準電位を提供する基準電極を含み、
前記イオン導入の際に前記基準電極と前記第１ヘッド間の電圧差および前記基準電極と前記第２ヘッド間の電圧差がそれぞれ７０Ｖ以上１３０Ｖ以下のパルス波であることを特徴とする、請求項５に記載の複合機能を有する皮膚美容機器。
【請求項７】
前記ヘッド部は、
前記グリップ部の長手方向の一端に連結されたヘッド連結部と、
前記第１ヘッド、前記第２ヘッドおよび前記第３ヘッドの下方に位置し、前記ヘッド連結部に連結されたヘッド受け台とをさらに含むことを特徴とする、請求項１に記載の複合機能を有する皮膚美容機器。
【請求項８】
前記ヘッド受け台の内部には多数の発光素子を搭載していることを特徴とする、請求項７に記載の複合機能を有する皮膚美容機器。
【請求項９】
前記発光素子は、前記第１ヘッドと前記第３ヘッドとの間、および前記第２ヘッドと前記第３ヘッドとの間にそれぞれ一列に配置されたことを特徴とする、請求項８に記載の複合機能を有する皮膚美容機器。
【請求項１０】
前記第１ヘッドおよび前記第２ヘッドの表面はそれぞれ、前記第１ヘッドと前記第２ヘッドの長手方向に分けられたＮ個の長方形領域からなり、前記第１ヘッドおよび前記第２ヘッドの表面の断面はＮ個の角を持つ多角形を成すことを特徴とする、請求項１に記載の複合機能を有する皮膚美容機器。
【請求項１１】
前記Ｎ個の長方形領域は一列に配置されたＭ個の一定の凸凹パターンを含むことを特徴とする、請求項１０に記載の複合機能を有する皮膚美容機器。
【請求項１２】
前記一定の凸凹パターンが四角錐状であることを特徴とする、請求項１１に記載の複合機能を有する皮膚美容機器。
【請求項１３】
前記四角錐状は、前記第１ヘッドと前記第２ヘッドの長手方向に並んでいる辺の長さが、前記長手方向と直角をなす他の辺の長さより長い長方形の底面を持つことを特徴とする、請求項１２に記載の複合機能を有する皮膚美容機器。
【請求項１４】
前記ヘッド受け台は第３ヘッド搭載部位が他の部位より突出した形状であることを特徴とする、請求項７に記載の複合機能を有する皮膚美容機器。
【請求項１５】
前記ヘッド受け台の幅は、前記第１ヘッドと前記第２ヘッドの回転方向の断面視での、前記第１ヘッドの中心点と前記第２ヘッドの中心点との間の距離と同一であることを特徴とする、請求項７に記載の複合機能を有する皮膚美容機器。
【請求項１６】
前記第１ヘッドおよび前記第２ヘッドの下方に位置する前記ヘッド受け台の形状が曲面形状であることを特徴とする、請求項１５に記載の複合機能を有する皮膚美容機器。
【考案の詳細な説明】
【技術分野】
【０００１】
本考案は、複合機能を有する皮膚美容機器に係り、さらに詳しくは、家庭内で様々な機能の皮膚マッサージを楽しむことができるようにした、ハンディ型の複合機能を有する皮膚美容機器に関する。
【背景技術】
【０００２】
一般に、ローラー（Ｒｏｌｌｅｒ）型回転体は、回転による刺激を皮膚に加えることができるので、多くの皮膚美容機器に使われている。
【０００３】
特許文献１および特許文献２（以下、「引用考案」という）等には、ローラーを備える超音波美容・健康装置および皮膚マッサージ装置が開示されている。ところが、これらの引用考案をはじめとする従来の皮膚美容機器のローラーの場合は、ローラーの回転によるマッサージ機能などの単純機能のみを遂行できるので、ローラーの活用度が悪くて皮膚マッサージ効果に劣るという問題点があった。
【０００４】
図１は顔をマッサージする場合の各部分の効果的なマッサージ方向を示す。図１に示すように、より効果的なマッサージのためには垂直方向よりは水平方向に近くローラーを回転させる必要がある。
【０００５】
図２はこれらの引用考案をはじめとする従来のローラー型皮膚機器によるマッサージの例示図である。図２から分かるように、これらの引用考案をはじめとする従来のローラー型皮膚美容機器は、グリップ部とローラーの回転方向とが水平をなすから、水平方向のマッサージのためには皮膚美容機器を動かすための手首を直角に曲げた状態で水平方向にローラーを動かす必要があった。従って、従来のローラー型皮膚美容機器は、長いマッサージ時間を要する場合には疲労を感じるという問題点があった。
【先行技術文献】
【特許文献】
【０００６】
【特許文献１】韓国公開特許第１９９５−００２３３８８号明細書
【特許文献２】韓国公開特許第１０−２００７−０１１８９１０号明細書
【考案の概要】
【考案が解決しようとする課題】
【０００７】
本考案は、前述したような技術的課題を解決するためになされたもので、その目的は、ローラーへのイオン導入機能が追加されただけでなく、多様なマッサージ機能を備えた、複合機能を有する皮膚美容機器を提供することにある。
【０００８】
本考案の他の目的は、使用者の疲労を低減させられるように、皮膚美容機器を動かすための手首を直角に曲げることなく垂直方向の手の動きによって水平方向のマッサージを行うことができる、複合機能を有する皮膚美容機器を提供することにある。
【課題を解決するための手段】
【０００９】
上記目的を達成するための本考案の好適な一実施例に係る複合機能を有する皮膚美容機器は、使用者が手で把持しうるグリップ部と、マッサージ機能を有するヘッド部とを含んでなる皮膚美容機器であって、前記ヘッド部は、回転可能な中空ローラー型の第１ヘッド、回転可能な中空ローラー型の第２ヘッド、および前記第１ヘッドと前記第２ヘッドとの間に位置し、温熱機能を有する第３ヘッドを含むことを特徴とする。
【００１０】
また、前記ヘッド部は、前記グリップ部の長手方向の一端に連結されたヘッド連結部と、前記第１ヘッドおよび前記第２ヘッドの回転軸方向に設けられ、前記ヘッド連結部に一端がそれぞれ連結された第１ヘッド用結合棒および第２ヘッド用結合棒をさらに含むことを特徴とする。
【００１１】
具体的に、前記第１ヘッドおよび前記第２ヘッドはそれぞれ、前記第１ヘッド用結合棒の他端および前記第２ヘッド用結合棒の他端にそれぞれ連結された第１固定部材および第２固定部材によって前記第１ヘッド用結合棒および前記第２ヘッド用結合棒に固定される。また、前記第１ヘッドと前記第２ヘッドの回転方向は前記グリップ部の長手方向と直角をなす。さらに、前記第１ヘッドと前記第２ヘッドはイオン導入機能を備えることを特徴とする。
前記グリップ部は、前記イオン導入の際に基準電位を提供する基準電極を含み、前記イオン導入の際に前記基準電極と前記第１ヘッド間の電圧差および前記基準電圧と前記第２ヘッド間の電圧差はそれぞれ７０Ｖ以上１３０Ｖ以下のパルス波であることを特徴とする。
また、前記ヘッド部は、前記第１ヘッド、前記第２ヘッドおよび前記第３ヘッドの下方に位置し、前記ヘッド連結部に連結されたヘッド受け台をさらに含むが、前記ヘッド受け台の内部には多数の発光素子を搭載することが好ましい。具体的に、前記発光素子は、前記第１ヘッドと前記第３ヘッドとの間、および前記第２ヘッドと前記第３ヘッドとの間にそれぞれ一列に配置されたことを特徴とする。
好ましくは、前記第１ヘッドと前記第２ヘッドの表面はそれぞれ、前記第１ヘッドと前記第２ヘッドの長手方向に分けられたＮ個の長方形領域からなり、前記第１ヘッドおよび前記第２ヘッドの表面の断面はそれぞれＮ個の角を持つ多角形を成すことを特徴とする。具体的に、前記Ｎ個の長方形領域は一列に配置されたＭ個の一定の凸凹パターンを含むが、一定の凸凹パターンは四角錐状であることが好ましい。また、四角錐状は、前記第１ヘッドと前記第２ヘッドの長手方向に並んでいる辺の長さが、前記長手方向と直角をなす他の辺の長さより長い長方形の底面を持つことを特徴とする。
前記ヘッド受け台は、第３ヘッド１７搭載部位が他の部位より突出した形状であり、前記ヘッド受け台の幅は、前記第１ヘッドと前記第２ヘッドの回転方向の断面視での、前記第１ヘッドの中心点と前記第２ヘッドの中心点との間の距離と同一であることが好ましい。また、前記第１ヘッドおよび前記第２ヘッドの下方に位置する前記ヘッド受け台の形状は曲面形状であることを特徴とする。
【考案の効果】
【００１２】
本考案の好適な一実施例の複合機能を有する皮膚美容機器によれば、ローラーへのイオン導入機能が追加されただけでなく、多様なマッサージ機能の提供が可能である。また、本考案によれば、使用者の疲労を減らせることができるように、皮膚美容機器を動かすための手首を直角に曲げることなく垂直方向の手の動きによって水平方向のマッサージが可能である。
【図面の簡単な説明】
【００１３】
【図１】顔の各部分の効果的なマッサージ方向を示す例示図である。
【図２】従来のローラー型皮膚美容機器によるマッサージの例示図である。
【図３】本考案の好適な一実施例に係る複合機能を有する皮膚美容機器の構成図である。
【図４】電圧昇圧部の出力電圧波形の例示図である。
【図５ａ】本考案の好適な一実施例に係る複合機能を有する皮膚美容機器の斜視図である。
【図５ｂ】本考案の好適な一実施例に係る複合機能を有する皮膚美容機器の正面図である。
【図５ｃ】本考案の好適な一実施例に係る複合機能を有する皮膚美容機器の右側面図である。
【図５ｄ】本考案の好適な一実施例に係る複合機能を有する皮膚美容機器の平面図である。
【図６】本考案の好適な一実施例に係る発光素子部の配置例示図である。
【考案を実施するための形態】
【００１４】
以下、添付図面を参照しながら、本考案の実施例に係る複合機能を有する皮膚美容機器について詳細に説明する。
これらの実施例は、本考案を具体化するためのものに過ぎず、本考案の権利範囲を制限又は限定するものではない。本考案の詳細な説明および実施例から本考案の属する技術分野における当業者が容易に想到し得るものは、本考案の権利範囲に属すると解釈される。
まず、図３は本考案の好適な一実施例に係る複合機能を有する皮膚美容機器の構成図を示す。
図３に示すように、本考案の好適な一実施例に係る複合機能を有する皮膚美容機器は、第１電源供給部１、充電部２、バッテリー３、第１表示部４、第２電源供給部５、第３電源供給部６、第４電源供給部７、ヒーター８、センサー９、電圧昇圧部１０、第２表示部１１、発光素子部１２、キー制御部１３、中央制御部１４、第１ヘッド１５、第２ヘッド１６および第３ヘッド１７を含む。
第１電源供給部１は、直流電圧の印加を受けるための直流ジャック（ＤＣ  Ｊａｃｋ）端子であって、外部から直流電圧の印加を受ける。第１電源供給部１からの直流電圧は、直接的に第２電源供給部５、第３電源供給部６および第４電源供給部７に入力されて電源として使用されてもよく、充電部２を介してバッテリー３を充電することにより間接的に第２電源供給部５、第３電源供給部６および第４電源供給部７の入力電源として使用されてもよい。
第２電源供給部５は、第１電源供給部１又はバッテリー３から入力された電源を変換して中央制御部１４の電源を供給する。また、第３電源供給部６は、第１電源供給部１又はバッテリー３から入力された電源を変換して第１表示部４、第２表示部１１および発光素子部１２に電源を供給する役割を果たす。
また、第４電源供給部７は、第１電源供給部１又はバッテリー３から入力された電源を変換してヒーター８に電源を供給する役割を果たす。
ヒーター８は、第４電源供給部７から電源の印加を受け、電源の印加により発熱するセラミック素材が好ましく、第３ヘッド１７の下に搭載されて第３ヘッド１７へ温熱機能を提供する。この際、第３ヘッド１７の表面温度が一定の範囲を保つように、センサー９がヒーター８又は第３ヘッド１７の温度を測定し、中央制御部１４を介して第４電源供給部７の動作をフィードバック制御する。すなわち、第３ヘッド１７の表面温度が一定の範囲から外れると、これをセンサー９が感知し、中央制御部１４が第４電源供給部７からのヒーター８への電源供給を制限する。好ましい第３ヘッド１７の表面温度は４０〜４５℃であることを特徴とする。
第１表示部４は、バッテリー３の充電および緩衝状態を示す役割を果たす。第２表示部１１は、第１ヘッド１５および第２ヘッド１６に導入されるイオンの種類を表示する役割を果たす。
電圧昇圧部１０は、第１ヘッド１５および第２ヘッド１６へのイオン導入のために中央制御部１４から制御信号を受け、グリップ部Ｇを使用者が把持することにより第１ヘッド１５および第２ヘッド１６へのイオン導入ができるようにグリップ部Ｇに設けられた一対の基準電極２２を基準に、第１ヘッド１５および第２ヘッド１６の電圧が陽の電圧又は陰の電圧になるように電圧を昇圧する役割を果たす。好適な一実施例によれば、電圧昇圧部１０の出力電圧は、基準電極２２との電圧差が７０Ｖ以上１３０Ｖ以下となるパルス（Ｐｕｌｓｅ）波であること.を特徴とする。電圧昇圧部１０はトランス（Ｔｒａｎｓｆｏｒｍｅｒ）を用いて実現できる。また、電圧昇圧部１０の出力電圧は１３〜１４ｋＨｚのパルス波であり、電流は負荷が連結されていないときに３５〜４０ｍＡであることが好ましい。図４は電圧昇圧部１０の出力電圧波形の例示図を示す。
参考として、イオン導入は、有効成分のイオンを皮膚表面から生体組織内に深く導入するための方法をいうもので、現在、多様な治療と美容法に使われている。
キー制御部１３は、本考案の皮膚美容機器の電源のオン／オフを制御する役割、第１ヘッド１５および第２ヘッド１６へのイオン導入有無および導入されるイオンの種類を選択することができるようにする役割、および発光素子部１２の発光モードを選択することができるようにする役割を果たす。
本考案の中央制御部１４は、第３電源供給部６、第４電源供給部７、センサー９、電圧昇圧部１０、第２表示部１１、キー制御部１３および発光素子部１２の動作を制御するための制御信号を生成する役割を果たす。
図５ａ〜図５ｄはそれぞれ本考案の好適な一実施例に係る複合機能を有する皮膚美容機器の斜視図、正面図、右側面図および平面図を示す。
図５ａ〜図５ｄに示すように、本考案の皮膚美容機器は、使用者が手で把持することが可能なグリップ部Ｇと、マッサージ機能を有するヘッド部Ｈとを含んでなる。
本考案のグリップ部Ｇは、イオン導入の際に基準電位を提供する一対の基準電極２２、第１表示部４、第２表示部１１、キー制御部１３および第１電源供給部１を含む。
具体的に、ヘッド部Ｈは、回転可能な中空ローラー型の第１ヘッド１５、回転可能な中空ローラー型の第２ヘッド１６、および第１ヘッド１５と第２ヘット１６との間に位置し、温熱機能を有する第３ヘッド１７を含む。
第１ヘッド１５、第２ヘッド１６および第３ヘッド１７の長手方向は、グリップ部Ｇの長手方向に並んでいることを特徴とする。すなわち、第１ヘッド１５、第２ヘッド１６、第３ヘッド１７およびグリップ部Ｇの長手方向はいずれも同じ方向に配置されていることを特徴とする。言い換えれば、第１ヘッド１５および第２ヘッド１６の回転方向は、グリップ部Ｇの長手方向と直角をなす。また、第１ヘッド１５、第２ヘッド１６および第３ヘッド１７は、第１ヘッド１５、第３ヘッド１７、第２ヘッド１６の順に並列に配置されたことを特徴とする。
また、本考案のヘッド部Ｈは、グリップＧの長手方向の一端に連結されたヘッド連結部２３と、第１ヘッド１５および第２ヘッド１６の回転軸方向に設けられ、ヘッド連結部２３に一端がそれぞれ連結された第１ヘッド用結合棒１８および第２ヘッド用結合棒１９をさらに含むことを特徴とする。第１ヘッド１５およびだい２ヘッド１６はそれぞれ、第１ヘッド用結合棒１８の他端および第２ヘッド用結合棒１９の他端に連結された第１固定部材２０および第２固定部材２１によって、第１ヘッド用結合棒１８および第２ヘッド用結合棒１９に固定される。これにより、第１ヘッド１５と第２ヘッド１６はそれぞれ、皮膚マッサージの際にグリップ部Ｇを動かすことにより第１ヘッド用結合棒１８および第２ヘッド用結合棒１９を中心に回転する。
また、ヘッド部Ｈは、第１ヘッド１５、第２ヘッド１６および第３ヘッド１７の下方に位置することにより第１ヘッド１５、第２ヘッド１６および第３ヘッド１７を支持し、ヘッド連結部２３に連結されたヘッド受け台２４をさらに含むことが好ましい。但し、第１ヘッド１５および第２ヘッド１６は、ヘッド受け台２４から一定の間隔離れて、第２ヘッド１５および第２ヘッド１６の回転の際に問題を起こさないようにする。
本考案の第１ヘッド１５と第２ヘッド１６は、イオン導入機能を備えており、イオン導入の際に基準電極２２と第１ヘッド１５間の電圧差、基準電極２２と第２ヘッド１６間の電圧差はそれぞれ、７０Ｖ以上１３０Ｖ以下のパルス波を皮膚に印加することができるようにする。
また、本考案の第１ヘッド１５および第２ヘッド１６の表面はそれぞれ、第１ヘッド１５と第２ヘッド１６の長手方向に分けられたＮ個の長方形領域からなり、  第１ヘッド１５および第２ヘッド１６の表面の断面はそれぞれ、Ｎ個の角を持つ多角形を成すことを特徴とする。さらに、Ｎ個の長方形領域は、一列に配置されたＭ個の一定の凸凹パターンを含むことが好ましい。具体的に、一定の凸凹パターンは、四角錐状であるが、好ましくは長方形の底面を持つ長方形錐の形状であることを特徴とする。すなわち、一定の凸凹パターンは、第１ヘッド１５と第２ヘッド１６の長手方向に並んでいる辺の長さが、第１ヘッド１５と第２ヘッド１６の長手方向と直角をなす他の辺の長さより長い長方形の底面を持つことが好ましい。すなわち、本考案の一定の凸凹パターンは２分割されたダイヤモンドパターンであることが分かる。
また、ヘッド受け台２４の内部には、多数の発光素子１２ａを搭載している発光素子部１２が含まれることが好ましい。
図６は本考案の好適な一実施例に係る発光素子部１２の配置例示図を示す。図６に示すように、発光素子部１２の発光素子１２ａは、第１ヘッド１５と第３ヘッド１７との間、および第２ヘッド１６と第３ヘッド１７との間にそれぞれ一直線状に、すなわち一列に配置されることが好ましい。発光素子部１２の発光素子１２ａとしては、波長６２０ｎｍ〜６５０ｎｍの赤色（ＲＥＤ）発光ダイオードおよび／または中心波長４１０ｎｍの紫外線発光ダイオードを例として挙げることができるが、これに限定されない。一般に、赤色光の場合は血行に役立ち、紫外線光の場合は殺菌効果があってニキビの治療などに効くと言われている。
本考案のヘッド受け台２４は、第３ヘッド搭載部位が他の部位より突出した形状であって、英文アルファベット「Ｔ」字の外郭に曲率を与えて曲線型の辺と緩やかな曲線型の角を持つことが好ましい。具体的に、ヘッド受け台２４の幅は、第１ヘッド１５の中心点と第２ヘッド１６の中心点との間の距離と同一であることを特徴とする。ここで、第１ヘッド１５の中心点および第２ヘッド１６の中心点とは、第１ヘッド１５および第２ヘッド１６の回転方向の断面視での中心点をいう。
また、第１ヘッド１５および第２ヘッド１６の下方に位置するヘッド受け台２４の形状は、曲面形状であるが、第１ヘッド１５および第２ヘッド１６から一定の間隔離れていることを特徴とする。
次に、本考案の好適な一実施例に係る皮膚美容機器の使用方法について説明する。
まず、電源ボタンを一定の時間（例えば、２秒間）押す。この場合、初めにイオン導入されるイオンは陽（＋）イオンと選択され、電源ボタンを短くもう１回押すと、陰（−）イオンに変更される。また、発光素子ボタンを押すと、発光素子部１２から赤色の連続的な光が照射され、発光素子ボタンをさらに１回押すと、発光素子部１２から赤色の瞬く（点滅する）光が照射される。電源ボタンはさらに１回押すと、電源が消える。
第３ヘッド１７の温熱機能は、本考案の皮膚美容機器の電源が供給される時にはいつも活性化されることが好ましい。
第３ヘッド１７の温熱機能と陽イオンを第１ヘッド１５および第２ヘッド１６に導入する場合には、クレジングクリーム（Ｃｌｅａｎｓｉｎｇ  ｃｒｅａｍ）を皮膚に塗布した後、温熱機能によって毛穴を開き、陽イオンを用いて毛穴の奥の老廃物を容易に抽出することができる。
一方、第３ヘッド１７の温熱機能と陰イオンを第１ヘッド１５および第２ヘッド１６に導入する場合には、皮膚に栄養クリームを塗った後、温熱機能によって毛穴を開き、陰イオンを用いて栄養成分を毛穴に押し込んで化粧品の効果を極大化させることができる。
上述したように、本考案の好適な一実施例に係る複合機能を有する皮膚美容機器によれば、ローラーへのイオン導入機能だけでなく、温熱機能および発光素子の光照射による光線療法（ｐｈｏｔｏｔｈｅｒａｐｙ）機能、そしてローラーマッサージによるリフティングおよび弾力機能も備えているため、効果的な皮膚管理が可能である。また、本考案によれば、ローラーの長手方向がグリップ部Ｇの長手方向に並んでおり、使用者の  疲労を減らせることができるように、皮膚美容機器を動かすための手首を直角に曲げることなく垂直方向の手の動きによって水平方向のマッサージが可能である。
【符号の説明】
【００１５】
Ｈ    ヘッド部
Ｇ    グリップ部
１    第１電源供給部
２    充電部
３    バッテリー
４    第１表示部
５    第２電源供給部
６    第３電源供給部
７    第４電源供給部
８    ヒーター
９    センサー
１０    電圧昇圧部
１１    第２表示部
１２    発光素子部
１２ａ    発光素子
１３    キー制御部
１４    中央制御部
１５    第１ヘッド
１６    第２ヘッド
１７    第３ヘッド
１８    第１ヘッド用結合棒
１９    第２ヘッド用結合棒
２０    第１固定部材
２１    第２固定部材
２２    基準電極
２３    ヘッド連結部
２４    ヘッド受け台  
【図１】
0003183321.tif 000003
【図２】
0003183321.tif 000004
【図３】
0003183321.tif 000005
【図４】
0003183321.tif 000006
【図５ａ】
0003183321.tif 000007
【図５ｂ】
0003183321.tif 000008
【図５ｃ】
0003183321.tif 000009
【図５ｄ】
0003183321.tif 000010
【図６】
0003183321.tif 000011